(57)【要約】      （修正有）【課題】水浸しの床に電気掃除機をかけ除水しながらゴミを回収できるので、掃除機の水に由来する故障を防止でき、しかも、これが比較的安価な装置となるため、一般家庭でも抵抗なく使用されることになる除水式掃除機を提供する。【解決手段】気密タンク１の上部壁に、電気掃除機３の吸引本ホース５が着脱可能に接続される排出管１５と、ゴミの吸引口２６付き掃除先ホースが接続される取込管１３とをそれぞれ上下突に設け、気密タンク１に家庭用の電気掃除機３が従属してなり、排出管１５が取込管１３に吸引力を及ぼしうるよう該両管が気密タンク１内に共に開口され、気密タンク１の上部内空において、取込管１３の開口から排出管１５の開口までをゴミが飛行する内部空間として設定してあり、タンク下端部に飛行中にゴミから分離された水の貯水部を設けてある。【選択図】図１
0003208209.tif 000002
【実用新案登録請求の範囲】
【請求項１】
気密タンクの上部壁に、電気掃除機の吸引本ホースが着脱可能に接続される排出管と、ゴミの吸引口付き掃除先ホースが接続される取込管とをそれぞれ上下突に設け、該気密タンクに家庭用の前記電気掃除機が従属してなり、排出管が取込管に吸引力を及ぼしうるよう該両管が気密タンク内に共に開口され、気密タンクの上部内空において、取込管の開口から排出管の開口までをゴミが飛行する内部空間として設定してあり、タンク下端部に飛行中にゴミから分離された水の貯水部を設けてなることを特徴とする除水式掃除機。
【請求項２】
気密タンクの上部を円錐形に形成し、円錐形の上端部に排出管を設け、円錐形内の内部空間に螺旋流が発生するように下端部には取込管を横向きに設け、それを円周方向に開口してなることを特徴とする請求項１記載の除水式掃除機。
【請求項３】
貯水部の上方に飛行から外れたゴミを受ける網を張設したことを特徴とする請求項１または２記載の除水式掃除機。
【考案の詳細な説明】
【技術分野】
【０００１】
この考案は、床が水浸し・びしょ濡れになりゴミが水と混ざって広く汚れたときに、具合よく対処できる除水式掃除機に関する。
【背景技術】
【０００２】
床が水浸しにゴミが水とともに汚れる場合として一例を挙げると、誤って水をこぼすことがある。この状態において、掃除機を使用すると、ゴミを水とともに吸引することになるため、掃除機が内部に溜まった水で故障の原因となることがある。
【０００３】
これを避けるため、雑巾掛けしていたが、雑巾にゴミが付着しそれを取り除くのが厄介であるなどこれにも不都合な面が多々あり、決して好まれる作業ではなかったので、水浸しの床でも掃除機の使用ができることが望ましいと考えられている。
【考案の概要】
【考案が解決しようとする課題】
【０００４】
しかしながら、除水装置を備えたものとして掃除機を開発し製造した場合には著しくコスト高となるために、一般家庭に普及させることは困難であった。
【０００５】
この考案は、上記のような実情に鑑みて、水浸しの床に電気掃除機をかけ除水しながらゴミを回収できるので、掃除機の水に由来する故障を防止でき、しかも、これが比較的安価な装置となるため、一般家庭でも抵抗なく使用されることになる除水式掃除機を提供することを課題とした。
【課題を解決するための手段】
【０００６】
上記の課題を解決するために、この考案は、気密タンクの上部壁に、電気掃除機の吸引本ホースが着脱可能に接続される排出管と、ゴミの吸引口付き掃除先ホースが接続される取込管とをそれぞれ上下突に設け、該気密タンクに家庭用の前記電気掃除機が従属してなり、排出管が取込管に吸引力を及ぼしうるよう該両管が気密タンク内に共に開口され、気密タンクの上部内空において、取込管の開口から排出管の開口までをゴミが飛行する内部空間として設定してあり、タンク下端部に飛行中にゴミから分離された水の貯水部を設けてなることを特徴とする除水式掃除機を提供する。
【０００７】
上記のように除水式掃除機を構成したから、これを使用するときには、家庭の電気掃除機を組ませて利用するもので、電気掃除機の吸引先端部品を外して、ハンドル付きの本ホースを排出管に接続して使用する。そして、ハンドルについているスイッチ８で起動すると、排出管から取込管を介し掃除先ホースの吸引口に及ぶから、掃除先ホースを汚れた床上にすり動かすことにより、ゴミと水が混在する水雑物を吸引することができ、その水雑物が取込管の開口から排出管の開口に至る内部空間において水がゴミから分離落下し、空中での蒸発も望めるので、水抜きされた比較的乾いたゴミが電気掃除機の本ホースから入って、最終的に掃除機本体のフィルター等に捉えられる。
【考案の効果】
【０００８】
以上説明したように、この考案の除水式掃除機によれば、水浸しの床に電気掃除機をかけ除水しながらゴミを回収し掃除できるので、都合よく便利であることはもちろん、掃除機の故障を防止でき、しかも、家庭用の電気掃除機を使用するので、コスト安に提供が可能であるという優れた効果がある。
【図面の簡単な説明】
【０００９】
【図１】この考案の除水式掃除機を示す斜視図である。
【図２】同除水式掃除機の使用状態を示す正面から見た拡大断面図である。
【図３】他の実施例を使用状態において示す正面から見た断面図である。
【図４】同実施例の密閉タンクを平面から見た断面図である。
【考案を実施するための形態】
【００１０】
この考案においては、電気掃除機は家庭用のものを兼用するが、型式については、フィルター式、サイクロン式等、特に制限するものではない。
【実施例１】
【００１１】
図１および図２は、一実施例を示したもので、その除水式電気掃除機Ｐは、除水装置を内蔵した気密タンク１と、家庭用の電気掃除機３とからなり、その電気掃除機３は、操作するホースから機能部品が外され、ハンドル６が具備した基部の本ホース５単独付きで使用される。
【００１２】
気密タンク１は、容器状の身９と、その上端に被せるように密閉される蓋１１とからなり、蓋１１に前記本ホース５が吸引可能に接続される排出管１５と、次に吸引が及ぶ取込管１３とがそれぞれ上下に貫通して取り付けられ、両管１３，１５との間は、できるだけ拡げて、気密タンク１内でゴミ１７が飛行する除水のための内部空間１９となっている。
【００１３】
気密タンク１の下部は貯水部２１として形成され、ここにはゴミ１７から分離された水をためる水容器２３が内装され、その上方に飛行からはずれたゴミを受けるろ過網２４が張られている。
【００１４】
ろ過網２４にかかったゴミ１７は、空気の対流を受けて再び飛行に加わり、排出管１５を通って最終的には掃除機３に吸収される。
【００１５】
排出管１５は、上に突出した部分が電気掃除機３との接続口として普段は露出したままであって、電気掃除機３の本ホース５が着脱自在に連結する構造となっているが、取込管１３には、掃除先ホース２５が常備して取り付けられている。この掃除先ホース２５は、柔軟に操作可能に合成ゴム質であって、先端は単に斜め切口の吸引口２６としてあるが、特別に吸引口部品を取り付けたものであっても良い。
【００１６】
図２は、使用中における気密タンク１の内部状況を示したもので、電気掃除機３の本ホース５が排出管１５に接続されているので、ハンドル６のスイッチ８を起動すると、電気掃除機３の吸引力が排出管１５から気密タンク１の内部に及び内部が負圧となるので、掃除ホース２５の先の吸引口２６に吸引力が及び水とともにゴミが吸引される。しかし、それが取込管１３の口から内部空間１９に吸引噴出されると、その内部空間１９に分散と同時に水が分離され落下し、水が除去されたゴミ１７が排出管１５に吸引され、最終的に電気掃除機３のフイルタに除水されたゴミが溜まることになる。
【実施例２】
【００１７】
図３および図４は他の実施例を示したもので、その除水式掃除機Ｐは、気密タンク１の身９と蓋１１とのうち、蓋１１が円錐形に形成され、円錐形の上端に排出管１５が設けられ、下端部に取込管１３が円周方向へ横向きに開口して設けられる。
【００１８】
この実施例の場合であると、排出管１５で空気が吸引されると、それにより取込管１３からゴミとともに水が吸引されることは同じであるが、気密タンク１の円周に沿って吸引され、円錐形の内周に沿って渦巻き状に上昇しながら排出管１５に至るため、その間の内部空間１９における滞留時間が長く、渦流の高速も望めるために、除水効率が向上する。２７は貯水部２１に溜まった水を排出するコックである。  
【符号の説明】
【００１９】
Ｐ  除水式掃除機
１  気密タンク
３  電気掃除機
５  本ホース
１３  取込管
１５  排出管
１９  内部空間
２１  貯水部
２４  網
２５  掃除先ホース
２６  吸引口
【図１】
0003208209.tif 000003
【図２】
0003208209.tif 000004
【図３】
0003208209.tif 000005
【図４】
0003208209.tif 000006